(57)【要約】【課題】効果的な奥行き感が感じられる加飾積層体、及び加飾積層方法を提供すること。【解決手段】透明基板と、透明基板の一方の面の第１の所定領域に設けられた第１の加飾層と、第１の加飾層を挟んで透明基板と対向して設けられた基材と、第１の加飾層と基材との間の第１の所定領域を除く領域を含む第２の所定領域に、透明基板と低屈折率層を介して対向して設けられた第２の加飾層とを備える。【選択図】図１
2014077821.tif 000002
【特許請求の範囲】
【請求項１】
透明基板と、
前記透明基板の一方の面の第１の所定領域に設けられた第１の加飾層と、
前記第１の加飾層を挟んで前記透明基板と対向して設けられた基材と、
前記第１の加飾層と前記基材との間の前記第１の所定領域を除く領域を含む第２の所定領域に、前記透明基板と低屈折率層を介して対向して設けられた第２の加飾層と
を備えることを特徴とする加飾積層体。
【請求項２】
前記第２の加飾層は、前記第１の加飾層と対向する領域においてのみ、前記第１の加飾層と接着されている
ことを特徴とする請求項１に記載の加飾積層体。
【請求項３】
前記第２の加飾層は、光源から供給される光を導光する導光板である
ことを特徴とする請求項１又は２に記載の加飾積層体。
【請求項４】
請求項１から３のいずれか一項に記載の加飾積層体
を備えることを特徴とするディスプレイ装置。
【請求項５】
前記第１の加飾層と前記第２の加飾層との間に設けられたタッチパネル
を更に備えることを特徴とする請求項４に記載のディスプレイ装置。
【請求項６】
前記タッチパネルは、前記第１の加飾層と対向する領域内にのみ設けられている
ことを特徴とする請求項５に記載のディスプレイ装置。
【請求項７】
透明基板の一方の面の第１の所定領域に、第１の加飾層を設け、
前記第１の加飾層を挟んで前記透明基板と対向して、基材を設け、
前記第１の加飾層と前記基材との間の前記第１の所定領域を除く領域を含む第２の所定領域に、前記透明基板と低屈折率層を介して対向して、第２の加飾層を設ける
ことを特徴とする加飾積層方法。
【発明の詳細な説明】
【技術分野】
【０００１】
本発明は、加飾積層体、ディスプレイ装置、及び加飾積層方法に関する。
【背景技術】
【０００２】
携帯電話のディスプレイは、機器内部の電気回路等を隠蔽するために、ベゼルカバー等によって周縁部を覆っていた。しかしながら、近年は、ディスプレイ端面からの余分な光を遮断させる観点と、薄型化とから、ベゼルカバーに代わって、携帯ディスプレイ用カバーガラスに加飾印刷層を施す等が行われている。加飾印刷は、一般に、隠蔽性や意匠性を付与するために行われる印刷である。
【０００３】
図５は、携帯ディスプレイ用カバーガラス９００を正面から視た場合の構成の一例を示す。携帯ディスプレイ用カバーガラス９００には、印刷９２と、アルファベットの文字「ＡＢＣ」を記す文字印刷９３とが形成されている。図６は、図５に示すａ−ａ’の線分で切断した場合の断面図を示す。図７は、図５に示すａ−ａ’の線分で切断した場合の他の断面図を示す。携帯ディスプレイ用カバーガラス９００に対する印刷が一般的な印刷である場合には、平面への印刷となるため、印刷文字（ここではアルファベットの文字）には効果的な奥行き感は感じられない。
【０００４】
なお、この分野の公知例技術として、例えば特許文献１には、抜きパターンが立体的に見え、高い装飾効果を有する加飾部材及びこれを用いたディスプレイ用フィルタ、並びにそれらの製造方法が開示されている。具体的には、視認面と背面とを有する透明基材と、該透明基材の背面に形成され、印刷層が形成された印刷領域と、該印刷領域内に、印刷層が存在せずに透明基材が露出するように形成された抜きパターンと、光を反射する反射層を備える反射体とを備える。該反射体が、印刷層上に抜きパターンを覆うように配置される。また、該反射体は、抜きパターンと印刷層とが形成する段差形状に沿うように貼り付けられたシート状の粘着剤層により貼り合わせられる。さらに、該反射体は、反射層及び粘着剤層が段差形状に追従する歪み形状を有する。
【先行技術文献】
【特許文献】
【０００５】
【特許文献１】特開２０１１−２５７４５２号公報
【発明の概要】
【発明が解決しようとする課題】
【０００６】
特許文献１に記載の加飾部材は、抜きパターンの領域に粘着剤層を設けている。このような粘着剤層の屈折率は、印刷層の屈折率とあまり変わらない場合がある。そのため、特許文献１に記載の加飾部材によっては、抜きパターンがあまり立体的に見えないことがある。
【０００７】
本発明の目的は、上述した課題を解決する加飾積層体、ディスプレイ装置、及び加飾積層方法を提供することにある。
【課題を解決するための手段】
【０００８】
上記課題を解決するために、本発明の第１の形態は、加飾積層体であって、透明基板と、透明基板の一方の面の第１の所定領域に設けられた第１の加飾層と、第１の加飾層を挟んで透明基板と対向して設けられた基材と、第１の加飾層と基材との間の第１の所定領域を除く領域を含む第２の所定領域に、透明基板と低屈折率層を介して対向して設けられた第２の加飾層とを備える。
【０００９】
本発明の第２の形態は、ディスプレイ装置であって、第１の形態に記載の加飾積層体を備える。
【００１０】
本発明の第３の形態は、加飾積層方法であって、透明基板の一方の面の第１の所定領域に、第１の加飾層を設け、第１の加飾層を挟んで透明基板と対向して、基材を設け、第１の加飾層と基材との間の第１の所定領域を除く領域を含む第２の所定領域に、透明基板と低屈折率層を介して対向して、第２の加飾層を設ける。
【００１１】
なおまた、上記の発明の概要は、本発明の必要な特徴の全てを列挙したものではない。また、これらの特徴群のサブコンビネーションもまた、発明となり得る。
【発明の効果】
【００１２】
以上の説明から明らかなように、この発明に係る加飾積層体は、ディスプレイ装置等に表示する印刷文字に、効果的な奥行き感と立体感とを持たせて表示することができる。
【図面の簡単な説明】
【００１３】
【図１】本発明の第１の実施形態に係る加飾積層体の断面図である。
【図２】本発明の第２の実施形態に係る加飾積層体の断面図である。
【図３】本発明の第３の実施形態に係る加飾積層体の断面図である。
【図４】本発明の第４の実施形態に係る加飾積層体の断面図である。
【図５】携帯ディスプレイ用カバーガラス９００を正面から視た場合の構成の一例を示す図である。
【図６】図５に示すａ−ａ’の線分で切断した場合の断面図を示す。
【図７】図５に示すａ−ａ’の線分で切断した場合の他の断面図を示す。
【発明を実施するための形態】
【００１４】
以下、発明の実施の形態について、〔第１の実施形態〕〜〔第４の実施形態〕の順に図面を参照して詳細に説明する。
【００１５】
〔第１の実施形態〕：図１は、本発明の第１の実施形態に係る加飾積層体の断面図である。同図に示す本発明の第１の実施形態に係る加飾積層体は、図６に示すアルファベットの「Ｃ」と同様の箇所を示すものである。また、図１に示す加飾積層体は、本発明のディスプレイ装置に適用することができる。図１に示す加飾積層体の断面は、印刷１２（第１の加飾層）、印刷１２が施された携帯ディスプレイ用カバーガラス１１（透明基板）、印刷抜き部１３（開口部）、筐体印刷１４（第２の加飾層）、筐体と貼り付ける接着のための両面テープ１５、及び上面に筐体印刷１４が施された筐体１６（基材）、を有する。以下では、携帯ディスプレイ用カバーガラス１１のことを透明基板、印刷１２のことを第１の加飾層、筐体印刷１４のことを第２の加飾層、筐体１６のことを基材と、各々呼称することが有る。前記第２の加飾層は、前記第１の加飾層と対向する領域においてのみ、前記第１の加飾層と接着させるものとする。なお、上記第２の加飾層は、上記透明基板と低屈折率層を介して対向して設けられることになる。
【００１６】
本発明の第１の実施形態に係る加飾積層体は、携帯ディスプレイ用カバーガラス１１の２箇所の印刷１２の間に有る印刷抜き部１３（空隙）に位置する箇所については印刷しないようにし、携帯ディスプレイ用カバーガラス１１を両面テープ１５で貼り付ける筐体の文字箇所には印刷を施す。これにより、印刷層に段差ができるので、効果的な奥行き感と立体感とを出すことができる。図４に断面を示す加飾積層体の場合、携帯ディスプレイ用カバーガラス１１には、印刷抜き部１３が有るため、筐体側の筐体印刷１４が可視化されると共に、印刷１２と筐体印刷１４とで段差ができるので、効果的な奥行き感と立体感とを出すことができる。
【００１７】
本発明の第１の実施形態に係る加飾積層体によれば、加飾積層における印刷は、単調な平面上ではなく、携帯ディスプレイ用カバーガラス１１に、印刷抜き部１３を設けることで、効果的な奥行き感と立体感とを出している。このため、携帯ディスプレイ用カバーガラス１１に、同じ文字印刷を施す場合であっても、平面的な印刷にするか、それとも奥行き感や立体感の有る印刷にするかといった選択ができる。このため、デザインとしての見せ方の選択肢に幅が得られる効果が有る。また、携帯ディスプレイ用カバーガラス１１には、強化ガラスが採用されていたり、タッチパネルや液晶などの高価な電子デバイスが貼り付けられたりすることがあるため、印刷層を一層でも減らすことで、装置全体としてのコストの削減を支援する効果がある。
【００１８】
〔第２の実施形態〕：図２は、本発明の第２の実施形態に係る加飾積層体の断面図である。同図に示す本発明の第２の実施形態に係る加飾積層体は、図６に示すアルファベットの文字「Ｃ」と同様の箇所を示すものである。また、図２に示す加飾積層体は、本発明のディスプレイ装置に適用することができる。図２に示す加飾積層体の断面は、印刷２２（第１の加飾層）、印刷２２が施された携帯ディスプレイ用カバーガラス２１（透明基板）、印刷抜き部２３（空隙）、筐体印刷２４（第２の加飾層）、筐体と貼り付ける接着のための両面テープ２５、上面に筐体印刷２４が施された筐体２６（基材）、及びタッチパネル２７、を有する。以下では、携帯ディスプレイ用カバーガラス２１のことを透明基板、印刷２２のことを第１の加飾層、筐体印刷２４のことを第２の加飾層、筐体２６のことを基材と、各々呼称することが有る。前記第２の加飾層は、前記第１の加飾層と対向する領域においてのみ、前記第１の加飾層と接着させるものとする。また、タッチパネル２７は、前記第１の加飾層と対向する領域内にのみ設けるものとする。
【００１９】
図２に示す本発明の第２の実施形態に係る加飾積層体は、携帯ディスプレイ用カバーガラス２１に、タッチパネル２７が貼り付いている。この実施形態では、タッチパネル２７がある分だけ、印刷２２と筐体印刷２４との間の距離が離れるため、本発明の第１の実施形態に係る加飾積層体に比べて更に効果的な奥行き感と立体感とを出すことが可能となる。タッチパネル２７は透明でありさえすれば、携帯ディスプレイ用カバーガラス２１に貼り付けても良い。
【００２０】
〔第３の実施形態〕：図３は、本発明の第３の実施形態に係る加飾積層体の断面図である。同図に示す本発明の第３の実施形態に係る加飾積層体は、図６に示すアルファベットの文字「Ｃ」と同様の箇所を示すものである。また、図３に示す加飾積層体は、本発明のディスプレイ装置に適用することが可能である。図３に示す加飾積層体の断面は、印刷３２（第１の加飾層）、印刷３２が施された携帯ディスプレイ用カバーガラス３１（透明基板）、印刷抜き部３３（空隙）、筐体印刷３４（第２の加飾層）、筐体と貼り付ける接着のための両面テープ３５、上面に筐体印刷３４が施された筐体３６（基材）、及びタッチパネル３７、を有する。図３に示すように、印刷抜き部３３の箇所は、タッチパネル３７を抜いた空隙（開口部）としても良い。以下では、携帯ディスプレイ用カバーガラス３１のことを透明基板、印刷３２のことを第１の加飾層、筐体印刷３４のことを第２の加飾層、筐体３６のことを基材と、各々呼称することが有る。前記第２の加飾層は、前記第１の加飾層と対向する領域においてのみ、前記第１の加飾層と接着させるものとする。また、タッチパネル３７は、前記第１の加飾層と対向する領域内にのみ設けるものとする。
【００２１】
〔第４の実施形態〕：図４は、本発明の第４の実施形態に係る加飾積層体の断面図である。同図に示す本発明の第４の実施形態に係る加飾積層体は、図６に示すアルファベットの文字「Ｃ」と同様の箇所を示すものである。また、図４に示す加飾積層体は、本発明のディスプレイ装置に適用することが可能である。図４に示す加飾積層体の断面は、印刷４２（第１の加飾層）、印刷４２が施された携帯ディスプレイ用カバーガラス４１（透明基板）、印刷抜き部４３（空隙）、筐体と貼り付ける接着のための両面テープ４５、筐体４６（基材）、及び導光板４８（第２の加飾層）、を有する。図４に示すように、携帯ディスプレイ用カバーガラス４１の印刷を抜いて見せる箇所（開口部）は、筐体の印刷に代えて導光板４８であっても良い（但し、印刷と併用しても良い）。以下では、携帯ディスプレイ用カバーガラス４１のことを透明基板、印刷４２のことを第１の加飾層、筐体４６のことを基材、導光板４８のことを第２の加飾層と、各々呼称することが有る。前記第２の加飾層は、前記筐体４６と対向する領域において、前記空隙部分を除く領域においてのみ、前記第１の加飾層と接着させるものとする。
【００２２】
導光板４８はＬＥＤ５１などの光を導光させる板であり、導光板４８をＬＥＤ５１と組み合わせることにより、導光板４８の上面を光らせることができる。上記第２の加飾層はここでは、光源から供給される光を導光する導光板４８となる。本発明の第４の実施形態に係る加飾積層体は、図１〜３に示す筐体の印刷を導光板４８に置き換える構成にすることで、文字印刷に対して、より一層効果的な奥行き感と立体感とを付与した照光が可能となる。
【００２３】
なお、前述の本発明の第１の実施形態〜第４の実施形態に係る加飾積層体を製造するための本発明の加飾積層方法は、基本的には、上記透明基板の一方の面の第１の所定領域に、第１の加飾層を設ける工程と、上記第１の加飾層を挟んで上記透明基板と対向して上記基材を設ける工程と、上記第１の加飾層と上記基材との間の上記第１の所定領域を除く領域を含む第２の所定領域に、上記透明基板と低屈折率層を介して対向して、第２の加飾層を設ける工程と、により実現することができる。
【符号の説明】
【００２４】
１１  携帯ディスプレイ用カバーガラス
１２  印刷
１３  印刷抜き部
１４  筐体印刷
１５  両面テープ
１６  筐体
２１  携帯ディスプレイ用カバーガラス
２２  印刷
２３  印刷抜き部
２４  筐体印刷
２５  両面テープ
２６  筐体
２７  タッチパネル
３１  携帯ディスプレイ用カバーガラス
３２  印刷
３３  印刷抜き部
３４  筐体印刷
３５  両面テープ
３６  筐体
３７  タッチパネル
４１  携帯ディスプレイ用カバーガラス
４２  印刷
４３  印刷抜き部
４５  両面テープ
４６  筐体
４８  導光板
５１  ＬＥＤ
【図１】
2014077821.tif 000003
【図２】
2014077821.tif 000004
【図３】
2014077821.tif 000005
【図４】
2014077821.tif 000006
【図５】
2014077821.tif 000007
【図６】
2014077821.tif 000008
【図７】
2014077821.tif 000009